(57)【特許請求の範囲】
【請求項１】
送風機及び熱交換器を収容した筐体と、この筐体の下方に配置される化粧パネルと、前記筐体の側板に設けられた吊り金具とを備え、この吊り金具に梁から吊り下げられた吊りボルトを通して、当該筐体を梁に吊り下げ支持してなる天井埋込型空気調和機において、
前記吊り金具が、前記筐体の内側に延在する第１の部分と、前記筐体に形成された開口を通じて当該筐体の外側に天板とほぼ平行に延出して吊ボルトを通す第２の部分と、前記筐体の側板の下端縁に係止されて当該側板の下端縁を支持する第３の部分とを備え、この第３の部分の先端部を上方に屈曲して前記化粧パネルを仮止めする仮止部を設けるとともに、前記化粧パネルは、前記吊り金具に対応する当該化粧パネルの４隅にコーナパネルで覆われる開口部を備え、これら開口部のうち、前記化粧パネルの対角上に位置する一対の開口部には、当該開口部の縁部から上方に延びて前記仮止部に係合する係止具を設けたことを特徴とする天井埋込型空気調和機。
【請求項２】
前記第３の部分は、仮止めされた前記化粧パネルが本止めされる本止部を備えることを特徴とする請求項１に記載の天井埋込型空気調和機。
【発明の詳細な説明】
【技術分野】
【０００１】
本発明は、吊りボルトによって天井の梁に吊り下げられる筐体と、この筐体の下方に配置された化粧パネルとを備えた天井埋込型空気調和機に関する。
【背景技術】
【０００２】
一般に、送風機及び熱交換器を収容した筐体と、この筐体の下方に配置される化粧パネルとを備える天井埋込型空気調和機が知られている（例えば、特許文献１参照）。この種の空気調和機は、安全のために化粧パネルを筐体に仮止めする仮止部を備え、この仮止部に化粧パネルを一旦仮止めした後、この化粧パネルを筐体に対してねじ止めするようにしている。
【特許文献１】特開２００１-２３５１７４号公報
【発明の開示】
【発明が解決しようとする課題】
【０００３】
しかし、従来のものでは、例えば、ドレンパンの底面にインサート金具を設け、このインサート金具に仮止部を設けていたため、構造が複雑になり、部品点数が増加するとともに製造コストが高くなるといった問題があった。
【０００４】
そこで、本発明の目的は、上述の事情を考慮してなされたものであり、化粧パネルを仮止めする構造が簡単で部品点数を削減し、製造コストの低減化を図った天井埋込型空気調和機を提供することにある。
【課題を解決するための手段】
【０００５】
上述した課題を解決するため、本発明は、送風機及び熱交換器を収容した筐体と、この筐体の下方に配置される化粧パネルと、前記筐体の側板に設けられた吊り金具とを備え、この吊り金具に梁から吊り下げられた吊りボルトを通して、当該筐体を梁に吊り下げ支持してなる天井埋込型空気調和機において、前記吊り金具が、前記筐体の内側に延在する第１の部分と、前記筐体に形成された開口を通じて当該筐体の外側に天板とほぼ平行に延出して吊ボルトを通す第２の部分と、前記筐体の側板の下端縁に係止されて当該側板の下端縁を支持する第３の部分の先端部を上方に屈曲して前記化粧パネルを仮止めする仮止部を設けるとともに、前記化粧パネルは、前記吊り金具に対応する当該化粧パネルの４隅にコーナパネルで覆われる開口部を備え、これら開口部のうち、前記化粧パネルの対角上に位置する一対の開口部には、当該開口部の縁部から上方に延びて前記仮止部に係合する係止具を設けたことを特徴とする。
この構成によれば、吊り金具の一部を構成する第３の部分に化粧パネルを仮止めする仮止部を設けることにより、この化粧パネルを仮止めする構造が簡素化されるとともに、仮止部を別個設ける必要がなくなるため、部品点数を削減することができ、ひいては、製造コストの低減化を図ることができる。また、仮止部を簡単に形成することができるため、化粧パネルを仮止めする構造の簡素化を図ることができる。
さらに、コーナパネルを外すことにより、係止具に簡単にアクセスすることができるため、この係止具と仮止部とを簡単に係脱することができる。また、係止具は化粧パネルの対角に位置する開口部に設けられているため、例えば、外形幅の小さい、いわゆるミニカセット型の室内機であれば、一人で簡単に化粧パネルを着脱することができる。
【０００６】
この構成において、前記第３の部分は、仮止めされた前記化粧パネルが本止めされる本止部を備える構成としても良い。この構成によれば、吊り金具の第３の部分に本止部及び仮止部が設けられるため、化粧パネルを固定する構造の簡素化を図ることができる。また、本止部及び仮止部がともに吊り金具の第３の部分に設けられているため、化粧パネルを仮止めした後に、例えば、作業者が乗っている脚立の位置を変更することなく、そのまま当該化粧パネルを筐体に本止めすることができ、作業性の向上を図ることができる。
【発明の効果】
【０００９】
本発明によれば、吊り金具の一部を構成する第３の部分に化粧パネルを仮止めする仮止部を設けることにより、この化粧パネルを仮止めする構造が簡素化されるとともに、仮止部を別個設ける必要がなくなるため、部品点数を削減することができ、ひいては、製造コストの低減化を図ることができる。
【発明を実施するための最良の形態】
【００１０】
以下、本発明の実施の形態を図面に基づいて説明する。図１は天井埋込型空気調和機の室内機１０を下面側から示す斜視図、図２は室内機本体２０の縦断面図である。なお、本実施の形態では、室内機１０の一例として、４方向カセット型であって外形状が６００ｍｍ×６００ｍｍのミニカセット型の室内機について説明するが、これに限定されず、２方向型の室内機、又は一般的な外形を有する４方向型の室内機であっても適用することができる。
【００１１】
空気調和機の室内機１０は、図１に示すように、室内側から天井板に設けられた取付け用開口部に挿入される室内機本体２０と、この室内機本体２０に下側から取り付けられる化粧パネル１００とを備えている。
【００１２】
室内機本体２０は、その外形部分を構成する筐体２１を備えている。この筐体２１は、箱形状に形成されており、その下側の全面が開口する下側開口部２１ａと、天板部（天板）２１ｂと、側板部（側板）２１ｃとで構成されている。この天板部２１ｂ及び側板部２１ｃは、板金加工によって組み立てられている。また、下側開口部２１ａは、上述した化粧パネル１００によって閉塞されている。
【００１３】
筐体２１の側板部２１ｃの外面であって４つの角部には、図１に示すように、室内機本体２０を吊り下げるための吊り金具２８がそれぞれ設けられている。この吊り金具２８は、天井から垂下する吊りボルト２９に取り付けられ、室内機本体２０が天井から吊り下げられる態様で取り付けられている。また、天井面に格子状に設けられた保持バーに室内機本体２０を固定することもできる。
【００１４】
化粧パネル１００は、その中央部に室内空気を取り込むための吸込口１１０と、この吸込口１１０の周囲に化粧パネル１００の辺に沿って長尺に形成され、熱交換後の空気を吹き出すための４つの吹出口１２０と、化粧パネル１００の４つの角部を構成するコーナパネル１０２とを備えている。また、この吹出口１２０には、吹出空気の方向を調節可能なフラップ１２２が設けられている。コーナパネル１０２は、化粧パネル１００の下側に向けて取り外し可能に構成されており、このコーナパネル１０２を外したときに、上述した吊り金具２８と吊りボルト２９との係合位置まで取付作業者の手が入るような大きさを有している。
この筐体２１の天板部２１ｂおよび側板部２１ｃの全面に亘る内面には、たとえば発泡スチロール材からなる断熱材２２が組み込まれており、室内機本体２０が筐体内部と外部との間で熱の移動が少なくなるような断熱構造をなしている。
【００１５】
筐体２１の内部には、平面視において略四角枠状に形成された室内熱交換器２４が収容されている。この室内熱交換器２４は、図２に示すように、その上端部が断熱材２２と隙間が生じないように取り付けられている。また、室内熱交換器２４の下端部は、熱交換作用にともなって生成されるドレン水を受けるためのドレンパン２５と隙間が生じないように取り付けられている。これにより、室内熱交換器２４は、筐体２１の内部を、１次側空間Ｓ１（平面視において、筐体２１の中央部）と２次側空間Ｓ２（平面視において、筐体２１の側板部の周辺部）とに画成している。
【００１６】
この１次側空間Ｓ１は、筐体２１の天板部２１ｂ及び室内熱交換器２４によって仕切られており、この空間に送風機２３が設けられている。この送風機２３は、筐体２１の天板部２１ｂに適宜な手段で取付け固定されるファンモータ２３ａと、このファンモータの回転軸に取り付けられるファン２３ｂとで構成されている。これにより、ファン２３ｂの回転に伴い吸込口１１０を介して回転軸方向（図２のＴ１方向）から空気を吸込んで周方向（室内熱交換器２４に向かう方向。図２のＴ２方向）に吹き出すようになっている。
また、化粧パネル１００の吸込口１１０と送風機２３との間には、送風機２３に向かってテーパー状に形成されたベルマウス２６が設けられている。このベルマウス２６の外周面側一部に、電気部品箱２７が設けられている。この電気部品箱２７内には上記送風機２３などの電気部品を制御するための制御回路が収容されている。
一方、２次側空間Ｓ２は、筐体２１の側板部２１ｃ、天板部２１ｂ、及び室内熱交換器２４によって仕切られており、この空間内に、１次側空間Ｓ１から送風された空気が室内熱交換器２４によって熱交換された後に、送られるようになっている。
【００１７】
図３は、吊り金具２８が組み付けられた筐体２１を示す斜視図であり、図４は、筐体２１に吊り金具２８を組み付ける手順を示す図である。
上述のように、筐体２１の４隅には、それぞれ吊り金具２８が固定され、この吊り金具２８に吊りボルト２９が通されて、この吊りボルト２９により筐体２１が天井から吊り下げられている。この吊り金具２８は、図４に示すように、筐体２１の内側に延在する第１の部分３１と、この第１の部分３１が筐体２１に形成された開口（図示せず）を通じて矢印Ｐ方向に挿入され、筐体２１の側板部２１ｃの内面に第１の部分３１の対向面３１ａが当接する位置まで矢印Ｒ方向に回転されたとき、筐体２１の外側に天板部２１ｂとほぼ平行に延出し、吊りボルト２９を通す溝３２ａ（図３）を備えた第２の部分３２と、同じく第１の部分３１が筐体２１に形成された開口（図示せず）を通じて矢印Ｐ方向に挿入され、筐体２１の側板部２１ｃの内面に第１の部分３１の対向面３１ａが当接する位置まで矢印Ｒ方向に回転されたとき、筐体２１の側板部２１ｃの下端縁２１ｄに係止されてこの下端縁２１ｄを支持する第３の部分３３とを備えて構成されている。
【００１８】
より具体的には、吊り金具２８は、第１の部分３１の上端及び下端に第２の部分３２及び第３の部分３３がそれぞれ略平行に延出した略コ字形状に形成された金具であり、これら第１の部分３１、第２の部分３２及び第３の部分３３は、例えば１枚の板材をプレス加工することにより一体に形成されている。このため、吊り金具２８を容易に形成することができ、製造コストの低減を図ることができる。
【００１９】
また、吊り金具２８は、図４に示すように、筐体２１の側板部２１ｃの内面に第１の部分３１の対向面３１ａを当接させた状態で、ねじ３５により筐体２１の側板部２１ｃに取り付けられている。この場合、筐体２１に形成される開口（図示せず）の上縁に第２の部分３２が当接し、筐体２１の側板部２１ｃの下端縁２１ｄに第３の部分３３が係止される。これによれば、本吊り金具２８は、それ自体で筐体２１の重量を受けるように構成されるため、ねじ３５は専ら吊り金具２８と側板部２１ｃとを連結するために機能し、このねじ３５自体が筐体２１の重量を受けることはない。従って、仮に、このねじ３５に緩みが生じた場合であっても、吊り金具２８は、第２の部分３２及び第３の部分３３にて筐体２１を支持するため、当該吊り金具２８が筐体２１から離脱することが防止される。
【００２０】
ところで、吊り金具２８は、上述のように、吊りボルト２９を介して室内機本体２０を梁から吊り下げるものであり、この室内機本体２０の高さを変更する際には、吊りボルト２９を調整することにより実行される。また、上記した化粧パネル１００には、吊り金具２８に対応する位置（４隅）にコーナパネル１０２が設けられている。これによれば、コーナパネル１０２を外すと吊り金具２８が露出するため、吊りボルト２９に簡単にアクセスすることができる。従って、吊り金具２８は、元来、コーナパネル１０２を外すだけで外部から容易にアクセスすることができるといった利点を有する。
【００２１】
本実施形態では、吊り金具２８は、図４に示すように、第３の部分３３に上記化粧パネル１００（図１）を仮止めする仮止部３４を備える。この仮止部３４は、第３の部分３３の先端部を上方に屈曲して形成された爪部であり、上記した第１の部分３１、第２の部分３２ともども一体にプレス加工により形成されている。
さらに、吊り金具２８は、図３に示すように、第３の部分３３に形成されたねじ孔３３ａを備える。このねじ孔３３ａは、化粧パネル１００を筐体２１にねじ止めする際に用いられるものであり本止部として機能する。
【００２２】
このように、吊り金具２８の第３の部分３３に仮止部３４を設けることにより、コーナパネル１０２を外した状態で簡単に仮止部３４にアクセスすることができるため、この仮止部３４に化粧パネル１００を仮止めすることができる。また、仮止部を吊り金具と別個設ける必要がなくなるため、部品点数を削減することができ、ひいては、製造コストの低減化を図ることができる。さらに、吊り金具２８の第３の部分３３には、ねじ孔３３ａが合わせて形成されているため、化粧パネル１００を仮止めした後に、例えば、作業者が乗っている脚立の位置を変更することなく、そのまま当該化粧パネル１００を筐体２１に本止めすることができ、作業性の向上を図ることができる。
【００２３】
図５は、コーナパネルを外した化粧パネル１００の一隅部を示す斜視図である。この図５では、室内機１０を天井から吊った状態と天地が反対となっている。
化粧パネル１００の隅部は、図５に示すように、この化粧パネル１００の表面に比べて凹んだ凹部４１と、この凹部４１及び化粧パネル１００の縁部１００Ａとで形成される開口部４２とを備え、これら凹部４１及び開口部４２がコーナパネル１０２（図１）で覆われる。開口部４２は、筐体２１に設けられた吊り金具２８に対応する位置に形成され、この開口部４２を通じて吊り金具２８にアクセス可能とするものである。
本構成では、凹部４１は、この凹部４１の一部を開口部４２側に突出させた台座４３を備え、この台座４３には、化粧パネル１００を筐体２１に固定するための貫通孔４４が形成されている。
【００２４】
また、台座４３の縁部には、上記仮止部３４と係合する係止具５１が設けられている。この係止具５１は、例えば、板ばね材などの金属板を曲げ形成したものであり、台座４３に固定される基部５２と、この基部５２に連なり上方（図５中では下方）に延出する弾発部５３と、この弾発部５３の先端部を内方に折り曲げて上記仮止部３４に引掛ける引掛部５４とを備えている。この引掛部５４は、弾発部５３に対して略４５度の角度を呈するように形成されている。基部５２は、台座４３の縁部から当該台座４３の下面（図５中上面）に延在して、この台座４３にねじ４５で固定されている。このように、本構成では、係止具５１は開口部４２の縁部に設けられているため、この係止具５１が開口部４２を塞ぐことはなく、作業の邪魔になることはない。
また、係止具５１は、図示は省略したが、化粧パネル１００の開口部４２にうち、対角上に位置する一対の開口部４２の縁部に設けている。これによれば、例えば、外形幅の小さいミニカセット型の室内機１０であれば、化粧パネル１００の対角に設けられた係止具５１をそれぞれ片手で操作することにより、一人で簡単に化粧パネル１００を着脱することができる。
【００２５】
次に、図６を参照して、化粧パネル１００を筐体に固定する手順について説明する。
まず、対角上に位置する各開口部４２を手で持ち、この開口部４２に設けられた係止具５１の上端（すなわち引掛部５４）を指で外側（図６中矢印Ｘ方向）に広げる。そして、その状態で化粧パネル１００を上方に持ち上げ、吊り金具２８の仮止部３４に係止具５１の引掛部５４を引掛ける。本構成では、係止具５１は、板ばね材で形成されているため、引掛部５４から指を離すと、弾発部５３が元の状態に戻ることにより、吊り金具２８の仮止部３４と係止具５１の引掛部５４とが引掛かり、化粧パネル１００が筐体２１に仮止めされる。
続いて、化粧パネル１００の各台座４３に形成された貫通孔４４（図５）にねじ６０を挿し込み、このねじ６０を各吊り金具２８の第３の部分にそれぞれ形成されたねじ孔３３ａに止めつける。これによれば、化粧パネル１００を筐体２１に簡単に固定することができる。また、化粧パネル１００を取り外す際には、固定する手順を逆の順序に行えば良い。
【００２６】
このように、本実施形態によれば、送風機２３及び室内熱交換器２４を収容した筐体２１と、この筐体２１の下方に配置される化粧パネル１００と、筐体２１の側板部２１ｃに設けられた吊り金具２８とを備え、この吊り金具２８に梁から吊り下げられた吊りボルト２９を通して、当該筐体２１を梁に吊り下げ支持してなる天井埋込型空気調和機において、吊り金具２８が、筐体２１の内側に延在する第１の部分３１と、筐体２１に形成された開口を通じて当該筐体２１の外側に天板部２１ｂとほぼ平行に延出して吊りボルト２９を通す第２の部分３２と、筐体２１の側板部２１ｃの下端縁２１ｄに係止されて当該側板の下端縁２１ｄを支持する第３の部分３３とを備え、この第３の部分３３に化粧パネル１００を仮止めする仮止部３４を設けたため、吊り金具２８の一部を利用して、この吊り金具２８に化粧パネル１００を仮止めすることができ、当該化粧パネル１００を仮止めする構造が簡素化される。また、仮止部３４を別個設ける必要がなくなるため、部品点数を削減することができ、ひいては、製造コストの低減化を図ることができる。
【００２７】
また、本実施形態によれば、第３の部分３３は、仮止めされた化粧パネル１００が本止めされるためのねじ孔３３ａを備えるため、吊り金具２８の第３の部分３３を利用して仮止め及び本止めを行うことができ、化粧パネル１００を固定する構造の簡素化を図ることができる。また、ねじ孔３３ａ及び仮止部３４がともに吊り金具２８の第３の部分３３に設けられているため、化粧パネル１００を仮止めした後に、例えば、作業者が乗っている脚立の位置を変更することなく、そのまま当該化粧パネル１００を筐体２１に本止めすることができ、作業性の向上を図ることができる。
【００２８】
また、本実施形態によれば、仮止部３４は、第３の部分３３の先端部を上方に屈曲して形成されているため、この仮止部３４を簡単に形成することができ、化粧パネル１００を仮止めする構造の簡素化を図ることができる。
【００２９】
また、本実施形態によれば、化粧パネル１００は、吊り金具２８に対応する当該化粧パネル１００の４隅にコーナパネル１０２で覆われる開口部４２を備え、これら開口部４２のうち、化粧パネル１００の対角上に位置する一対の開口部４２に仮止部３４に係合する係止具５１を設けたため、コーナパネル１０２を外すことにより、係止具５１に簡単にアクセスすることができる。このため、係止具５１と仮止部３４とを簡単に係脱することができる。また、係止具５１は対角に位置する開口部４２に設けられているため、例えば、外形幅の小さい、いわゆるミニカセット型の室内機１０であれば、化粧パネル１００の対角に設けられた係止具５１をそれぞれ片手で操作することにより、一人で簡単に化粧パネル１００を着脱することができる。
【００３０】
以上、本発明を実施するための最良の形態について述べたが、本発明は既述の実施形態に限定されるものではなく、本発明の技術思想に基づいて各種の変形および変更が可能である。本実施形態では、仮止部３４は第３の部分の先端部を屈曲して、当該第３の部分と一体に形成しているが、これに限るものではなく、例えば、仮止部を第３の部分と別個とし、この第３の部分に溶接もしくはねじ止め等の締結手段によって固着する構成としても良い。
【図面の簡単な説明】
【００３１】
【図１】本発明の実施の形態に係る天井埋込型空気調和機の室内機を斜め下側から見た概要図である。
【図２】図１に示す室内機の側部断面図である。
【図３】吊り金具が組み付けられた筐体を示す斜視図である。
【図４】筐体に吊り金具を組み付ける手順を示す図である。
【図５】コーナパネルを外した化粧パネルを示す斜視図である。
【図６】化粧パネルを固定する手順を示す図である。
【符号の説明】
【００３２】
１０  室内機
２０  室内機本体
２１  筐体
２１ｂ  天板部（天板）
２１ｃ  側板部（側板）
２１ｄ  下端縁
２３  送風機
２４  室内熱交換器
２８  吊り金具
２９  吊りボルト
３１  第１の部分
３１ａ  対向面
３２  第２の部分
３２ａ  溝
３３  第３の部分
３３ａ  ねじ孔（本止部）
３４  仮止部
４２  開口部
４３  台座
４４  貫通孔
５１  係止具
５２  基部
５３  弾発部
５４  引掛部
１００  化粧パネル
１００Ａ  縁部
１０２  コーナパネル
【図１】
0005033535.tif 000002
【図２】
0005033535.tif 000003
【図３】
0005033535.tif 000004
【図４】
0005033535.tif 000005
【図５】
0005033535.tif 000006
【図６】
0005033535.tif 000007